(57)【要約】  【課題】食品などの荷重による冷蔵室の回転式扉の下がりを防止し、かつ冷蔵庫本体の剛性を向上させることを目的とする。  【解決手段】外箱２６と内箱２７からなる空間に発泡断熱材２８を充填してなる断熱箱体１６と一体発泡で構成されている上段仕切体１７、下段仕切体１９は、断熱箱体１６の冷蔵室２１よりも下の空間をより均一に近い状態に分割するように位置に位置させることで，従来の冷蔵庫よりも細かく、かつ高さ方向でより均等な大きさとなるように断熱箱体１６をセル化することができるため、扉に収納された食品の重量などの冷蔵庫に負荷された荷重を、バランスよく分散・支持することができ、冷蔵庫本体の剛性を向上させることができる。【選択図】図３
2006084091.tif 000002
【特許請求の範囲】
【請求項１】
外箱と内箱で構成される空間内に発泡断熱材を充填してなる断熱箱体と、前記断熱箱体の上下方向に３つ以上の部屋に区画する略全幅の複数の仕切体と、各部屋の前方を塞ぐ扉とで構成され、前記仕切体により区画された部屋の最上段は前方を回転式扉で覆われた冷蔵室とし、前記断熱箱体に発泡断熱材を充填発泡すると同時に、前記冷蔵室を区画する仕切体と、前記仕切体よりも下方に位置する空間を略均一な高さで分割する仕切体とに前記発泡断熱材を充填発泡したことを特徴とする冷蔵庫。
【請求項２】
少なくとも一つの仕切体に貫通穴を設け、前記仕切体に発泡断熱材を充填することを特徴とする請求項１に記載の冷蔵庫。
【請求項３】
前記貫通穴は別体の断熱部材で構成されていることを特徴とする請求項２に記載の冷蔵庫。
【請求項４】
発泡断熱材を充填した仕切体により区画される部屋で、冷蔵室より下に位置する部屋の中で最も前面開口面積が広い部屋に冷却器を配設したことを特徴とする請求項１から３のいずれか一項に記載の冷蔵庫。
【請求項５】
発泡断熱材を充填した仕切体の表面は略平面形状としたことを特徴とする請求項１から４のいずれか一項に記載の冷蔵庫。
【請求項６】
発泡断熱材を充填した仕切体内部に部分的に別体の断熱部材を配設して凹凸形状を形成したことを特徴とする請求項１から５のいずれか一項に記載の冷蔵庫。
【発明の詳細な説明】
【技術分野】
【０００１】
本発明は、冷蔵庫の箱体構造に関するものである。
【背景技術】
【０００２】
従来、上下に４つ以上の部屋に区画されている冷蔵庫において、最上段が回転式の扉で覆われた冷蔵室としたものが提案されている（例えば、特許文献１参照）。
【０００３】
図８、図９、図１０は特許文献１に記載された従来の冷蔵庫を示すものである。図８は、従来の冷蔵庫の正面図、図９は従来の冷蔵庫の扉を開けた状態の断熱箱体の正面図、図１０は図９におけるＡ−Ａ線断面図である。図９に示すように断熱箱体２は仕切体３，４，５，６により区画され、上から冷蔵室７、野菜室８、切替室９、製氷室１０、冷凍室１１となっている。冷蔵室扉７ａは回転式扉、野菜室扉８ａ、切替室扉９ａ、製氷室扉１０ａ、冷凍室扉１１ａは引出し式扉である。前記回転式の冷蔵室扉７ａは前記断熱箱体２の上面と仕切体３で保持している。前記断熱箱体２は外箱１２と内箱１３からなる空間に発泡断熱材１４を充填して断熱箱体としている。前記断熱箱体２に前記発泡断熱材１４を充填する際、前記仕切体４にも同時に前記発泡断熱材１４を充填することで、仕切体４と断熱箱体２を一体構造としている。
【特許文献１】特開２００２−１１５９６３号公報
【発明の開示】
【発明が解決しようとする課題】
【０００４】
しかしながら、上記従来の構成では，容積効率の向上を目的とした断熱箱体側壁の薄壁化などを実施した際、補強部材無しでは断熱箱体剛性の低下は避けられないという課題や、冷蔵室扉の棚にペットボトルなどの重量物をたくさん収納した際、その負荷で冷蔵室扉が下がり傾向になるという課題を有していた。
【０００５】
本発明は、上記従来の課題を解決するもので、断熱箱体側壁の薄壁化を行ったとしても断熱箱体剛性は劣化することなく、また扉の支持部の剛性向上などの断熱箱体剛性の向上を目的とした際に、補強部材無しで必要な断熱箱体剛性を保つことができる様に、断熱箱体本体での剛性向上を実現した冷蔵庫を提供することを目的とする。
【課題を解決するための手段】
【０００６】
上記従来の課題を解決するために、本発明の冷蔵庫は、冷蔵室を区画しかつ回転式扉を支持するする仕切体と、冷蔵室以下の空間を最も均一な高さで分割する位置に存在する仕切体の中に、断熱箱体と同時に発泡断熱材を充填し、２枚の仕切体と断熱箱体とを一体構成としたものである。
【０００７】
これによって、断熱箱体を従来よりも細かくかつバランスよくセル化することができる。
【発明の効果】
【０００８】
本発明の冷蔵庫は、断熱箱体と一体構成した仕切体によって断熱箱体を従来よりも細かくかつバランスよくセル化したと共に、回転式扉を支持するする仕切体を断熱箱体と一体構成したことで、扉に収納された食品の重量などの冷蔵庫に負荷された荷重を、バランスよく分散・支持することができ、冷蔵室の回転式扉の下がりを防止し、かつ冷蔵庫本体の剛性を向上させることができる。
【発明を実施するための最良の形態】
【０００９】
請求項１に記載の発明は、外箱と内箱で構成される空間内に発泡断熱材を充填してなる断熱箱体と、前記断熱箱体の上下方向に３つ以上の部屋に区画する略全幅の複数の仕切体と、各部屋の前方を塞ぐ扉とで構成され、前記仕切体により区画された部屋の最上段は前方を回転式扉で覆われた冷蔵室とし、前記断熱箱体に発泡断熱材を充填発泡すると同時に、前記冷蔵室を区画する仕切体と、前記仕切体よりも下方に位置する空間を略均一な高さで分割する仕切体とに前記発泡断熱材を充填発泡したものであり、断熱箱体と一体構成された仕切体が断熱箱体を従来よりも細かくかつバランスよくセル化することができるため、断熱箱体に負荷された荷重をバランスよく支持することができ、断熱箱体本体の剛性を向上させることができる。
【００１０】
請求項２に記載の発明は、請求項１に記載の発明において、少なくとも一つの仕切体に貫通穴を設け、前記仕切体に発泡断熱材を充填するものであり、風路を構成したり、製氷装置への給水経路を構成したりなど、仕切体に断熱以外の機能を容易に付加することが可能となる。
【００１１】
請求項３に記載の発明は、請求項２に記載の発明において、前記貫通穴は別体の断熱部材で構成されているものであり、貫通穴の形状の自由度を増すことができると共に、貫通穴付近の発泡断熱材の漏れ防止構造を簡略化することができる。
【００１２】
請求項４に記載の発明は、請求項１から３のいずれか一項に記載の発明において、発泡断熱材を充填した仕切体により区画される部屋で、冷蔵室より下に位置する部屋の中で最も前面開口面積が広い部屋に冷却器を配設したものであり、冷却器の取付け作業性の確保や冷却器の大きさ選定の自由度を増すことができる。
【００１３】
請求項５に記載の発明は、請求項１から４のいずれか一項に記載の発明において、発泡断熱材を充填した仕切体の表面は略平面形状としたものであり、発泡断熱材を充填発泡する際の発泡圧での変形を防止するための治具の挿入性を確保し、効率よく前記治具の抜き差しができるようにすることで大量生産に対応することができる。
【００１４】
請求項６に記載の発明は、請求項１から５のいずれか一項に記載の発明において、発泡断熱材を充填した仕切体内部に部分的に別体の断熱部材を配設して凹凸形状を形成したものであり、発泡断熱材の発泡圧での変形を回避することができ、発泡圧での変形を防止するための治具の挿入を部分的に不必要にすることができる。
【００１５】
以下、本発明による冷蔵庫の実施の形態について、図面を参照しながら説明する。なお、この実施の形態によってこの発明が限定されるものではない。
【００１６】
（実施の形態１）
以下、本発明の実施の形態を図１〜図７に基づいて説明する。図１は、本発明の実施の形態１における冷蔵庫の正面図、図２は、本発明の実施の形態１における冷蔵庫の扉を開けた状態の断熱箱体の正面図、図３は、図２のＢ−Ｂ線断面図を示すものである。
【００１７】
図１、図２、図３に示すように冷蔵庫１５は上段仕切体１７、中段仕切体１８、下段仕切体１９、縦仕切体２０により区画され、上から冷蔵室２１、切替室２２、製氷室２３、野菜室２４、冷凍室２５となっている。冷蔵室扉２１ａは回転式扉、切替室扉２２ａ、製氷室扉２３ａ、野菜室扉２４ａ、冷凍室扉２５ａは引出し式扉である。前記回転式の冷蔵室扉２１ａは断熱箱体１６の上面と上段仕切体１７に設けたヒンジ（図示せず）で保持している。断熱箱体１６は外箱２６と内箱２７からなる空間に発泡断熱材２８を充填して断熱箱体としている。断熱箱体１６に発泡断熱材２８を充填する際、冷蔵室を区画する上段仕切体１７と冷蔵室以下の空間をより均一に近い状態に分割する位置に存在する下段仕切体１９にも同時に発泡断熱材１４を充填することで、上段仕切体１７、下段仕切体１９と断熱箱体１６を、発泡断熱材２８を介した一体構造としている。
【００１８】
また、冷蔵室の奥面には冷却器２９、上段仕切体１７、下段仕切体１９で区画される空間の奥面には冷却器３０が配設されている。冷却器３０を配設後に、中段仕切体１８、縦仕切体２０を取付け、上段仕切体１７、下段仕切体１９で区画される空間を切替室２２、製氷室２３、野菜室２４に分割する。
【００１９】
また、製氷室２３内には製氷装置３１が存在する。製氷装置３１へ給水するための給水タンク３２は冷蔵室２１内に存在し、上段仕切体１７を貫通する給水経路３３を経由して製氷室２３内の製氷装置３１に給水される。
【００２０】
図４は、同実施の形態の冷蔵庫の上段仕切体の分解斜視図である。図５は、同実施の形態の冷蔵庫の上段仕切体を下から見た平面図である。図４，５に示すように、上段仕切体１７は、上蓋３４と下蓋３５で囲まれた空間に、発泡断熱材２８を充填して構成する。但し、製氷室２３の天井部分には断熱部材３６が挿入されている。上蓋３４、下蓋３５、断熱部材３６には、製氷室２３への給水経路のための穴３７があいている。上段仕切体１７の上下面は、断熱部材３６が存在する部分以外は極端な凹凸のない平面となっている。
【００２１】
図６は、同実施の形態の冷蔵庫の下段仕切体の分解斜視図である。図７は、同実施の形態の冷蔵庫の下段仕切体を上から見た平面図である。下段仕切体１９は、上蓋３８と下蓋３９で囲まれた空間に、発泡断熱材２８を充填して構成する。但し、冷却器３０の除霜水を受けて庫外へ排出する水受け部４０には断熱部材４１が挿入されている。上蓋３８、下蓋３９、断熱部材４１には、水受け部４０から除霜水を庫外へ排出するための穴４２と、冷却器３０から冷凍室２５へ冷気を送るための穴４３と、冷凍室２５から冷却器３０へ冷気を戻すための穴４４があいている。下段仕切体１９の上下面は、断熱部材４１が存在する部分以外は極端な凹凸のない平面となっている。
【００２２】
以上のように構成された冷蔵庫は、発泡断熱材２８を介して断熱箱体１６と一体化している上段仕切体１７、下段仕切体１９によって、従来の冷蔵庫よりも細かく、かつ高さ方向でより均等な大きさとなるように、各仕切体によりセル化されていると共に冷蔵室扉２１ａを支える上段仕切体１７が断熱箱体１６と一体化しているため、扉に収納された食品の重量などの冷蔵庫に負荷された荷重を、バランスよく分散・支持することができ、冷蔵室の回転式扉の下がりを防止し、かつ冷蔵庫本体の剛性を向上させることができる。
【００２３】
また、上段仕切体１７には給水経路のための穴が存在するため、上段仕切体１７を介して冷蔵室から製氷室へ水が流れて行くことができる。同様に、下段仕切体１９にも排水経路のための穴４２と、風路の為の穴４３、４４があいているため、下段仕切体１９を介して冷却器３０からの除霜水を庫外へ排出したり、冷却器３０と冷凍室の間を冷気が循環したりすることができる。さらに、上段仕切体１７の給水経路のための穴は、給水経路３３と断熱部材３６で構成されるため、Ｌ字型に屈曲した給水経路を容易に実現することができる。
【００２４】
断熱箱体１６および、上段仕切体１７、下段仕切体１９に発泡断熱材２８を充填する際、発泡断熱材２８の膨張圧で断熱箱体１６ならびに上段仕切体１７、下段仕切体１９の側面が変形するのを治具で押さえつけることで防止する。この時、上段仕切体１７、下段仕切体１９の断熱部材３６、４１が挿入されていない部分は極端な凹凸のない平面となっているため、側面を容易に治具で押さえつけることができる。このため、冷蔵庫を大量に生産する際に、その生産稼動率を高めることができる。一方、上段仕切体１７の製氷機の取り付く部分や、下段仕切体１９の水受け部４０は、製氷装置３１の取り付けのためのツメや凹みなど複雑な凹凸形状が集中しているため、発泡断熱材２８を充填する際の変形防止用治具の形状や設置方法が複雑になったり、変形を防止したい部分の形状が複雑であるが故に，変形防止治具で効果的に発泡断熱材２８の膨張圧での変形を抑制できず部品の取り付けが困難になったりする。そこで、上記の複雑な凹凸形状が集中している部分に断熱部材３６、４１を挿入し部分的に断熱性を確保しながら発泡断熱材２８が充填されない様にすることで、変形防止様の治具を部分的に不要にすることができ、冷蔵庫の生産性向上に寄与することができる。
【００２５】
また、上段仕切体１７、下段仕切体１９で区画される空間の奥面に冷却器３０を配設することで、少しでも広い空間で冷却器３０の冷蔵庫への取り付け作業をすることができるようにし、その作業性を向上させることができ、冷蔵庫の生産性向上に寄与することができる。
【産業上の利用可能性】
【００２６】
以上のように、本発明にかかる冷蔵庫は、断熱箱体と一体構成した仕切体によって断熱箱体を従来よりも細かくかつバランスよくセル化したことで、断熱箱体本体の剛性を向上させることが可能となるので、同様の箱体の剛性を向上させること等にも適用できる。
【図面の簡単な説明】
【００２７】
【図１】本発明の実施の形態１における冷蔵庫の正面図
【図２】同実施の形態の冷蔵庫の扉を開けた状態の断熱箱体の正面図
【図３】図２のＢ−Ｂ線断面図
【図４】同実施の形態の冷蔵庫の上段仕切体の分解斜視図
【図５】同実施の形態の冷蔵庫の上段仕切体を下から見た平面図
【図６】同実施の形態の冷蔵庫の下段仕切体の分解斜視図
【図７】同実施の形態の冷蔵庫の下段仕切体を上から見た平面図
【図８】従来の冷蔵庫の正面図
【図９】従来の冷蔵庫の扉を開けた状態の断熱箱体の正面図
【図１０】図９におけるＡ−Ａ線断面図
【符号の説明】
【００２８】
１５  冷蔵庫
１６  断熱箱体
１７  上段仕切体
１８  中段仕切体
１９  下段仕切体
２０  縦仕切体
２１  冷蔵室
２１ａ  冷蔵室扉
２６  外箱
２７  内箱
２８  発泡断熱部材
３０  冷却器
３６、４１  断熱部材
３７、４２、４３、４４  穴
【図１】
2006084091.tif 000003
【図２】
2006084091.tif 000004
【図３】
2006084091.tif 000005
【図４】
2006084091.tif 000006
【図５】
2006084091.tif 000007
【図６】
2006084091.tif 000008
【図７】
2006084091.tif 000009
【図８】
2006084091.tif 000010
【図９】
2006084091.tif 000011
【図１０】
2006084091.tif 000012